(57)【要約】      （修正有）【課題】  操作性を良好としながら、現金と共に一緒に提出されるデータキャリアと確実に通信することができるアンテナ端末及びカード処理端末を提供する。【解決手段】  リーダライタのアンテナ端末として構成された置台３には通信用アンテナが内蔵されている。置台３の載置部８は第１の領域８ａと第２の領域８ｂとに区分され、第２の領域８ｂは、通信用アンテナによる通信領域に設定されている。これらの領域８ａ，８ｂの境界には突条部９が形成されている。客は、料金を清算する際に非接触ＩＣカード１３にポイントを加算する場合は、現金と共に非接触ＩＣカード１３を載置部８に載置する。このとき、現金に硬貨Ａが含まれていたときは、店員は、硬貨Ａを第１の領域８ａに移動する。これにより、硬貨Ａの影響を受けることなく通信用アンテナを通じて非接触ＩＣカード１３と通信することができる。【選択図】  図５
2006309554.tif 000002
【特許請求の範囲】
【請求項１】
現金及び非接触ＩＣカード、タグなどのデータキャリアが載置される置台と、この置台に内蔵されたアンテナとを備えたアンテナ端末であって、
前記置台は、
硬貨が載置される第１の領域と、
この第１の領域とは異なる領域で少なくとも前記データキャリアが載置され、前記第１の領域への硬貨の載置状態にかかわらず前記アンテナを通じて前記データキャリアと通信可能な第２の領域と、
からなることを特徴とするアンテナ端末。
【請求項２】
前記第１の領域は、前記第２の領域に対して識別可能に構成されていることを特徴とする請求項１記載のアンテナ端末。
【請求項３】
前記第１の領域は、前記第２の領域よりも低い位置に設けられ、前記第２の領域に載置された硬貨を前記第１の領域にスライド移動可能に構成されていることを特徴とする請求項１または２記載のアンテナ端末。
【請求項４】
前記第２の領域から前記第１の領域へ硬貨がスライド移動される際に、そのスライド移動を案内補助する案内補助手段を備えたことを特徴とする請求項３記載のアンテナ端末。
【請求項５】
請求項１ないし４の何れかに記載のアンテナ端末にカードリーダを内蔵したことを特徴とするカード処理端末。
【発明の詳細な説明】
【技術分野】
【０００１】
本発明は、現金及び非接触ＩＣカード、タグなどのデータキャリアが載置される置台と、この置台に内蔵されたアンテナとを備えたアンテナ端末及びカード処理端末に関する。
【背景技術】
【０００２】
近年、非接触ＩＣカード、タグなどのデータキャリアによるサービスが普及する中、支払い時にメンバーカードやポイントカードの機能を有したデータキャリアを提示し、現金を清算する際にポイント処理する場合が増えている。
【特許文献１】特許第３４３５３３２号公報
【発明の開示】
【発明が解決しようとする課題】
【０００３】
特許文献１に示す紙幣や硬貨、非接触ＩＣカードを操作する端末では、非接触ＩＣカード、紙幣、硬貨を別々に投入しなければならず、操作性が悪いと共に、機器が大型化してしまうという問題がある
そこで、現金と非接触ＩＣカードとを同時に処理することが考えられるものの、非接触ＩＣカードは電磁波にて通信を行うため、硬貨などの金属がある場合、通信性能が大きく低下してしまう問題がある。また、ポイント処理などのため、現金による清算とは別に非接触ＩＣカードを専用の読取り端末にて操作する必要があり、結局、操作性が悪いという課題は依然として残されたままである。
【０００４】
本発明は上記事情に鑑みてなされたもので、その目的は、操作性を良好としながら、現金と共に一緒に提出されるデータキャリアと確実に通信することができるアンテナ端末及びカード処理端末を提供することにある。
【課題を解決するための手段】
【０００５】
請求項１の発明によれば、例えば客が飲食代金の清算の際にポイントを加算したい場合は、ポイント記憶用のデータキャリアを現金と共に置台に載置する。店員は、現金に硬貨が混じっていた場合は、硬貨を置台の第１の領域に移動すると共に、データキャリアを第２の領域に移動する。これにより、第１の領域に位置する硬貨の載置状態にかかわらずアンテナを通じてデータキャリアと通信することができるので、硬貨の影響を受けることなくデータキャリアと通信することができ、データキャリアにポイントを加算することができる。
【０００６】
請求項２の発明によれば、第１の領域は、第２の領域に対して識別可能に構成されているので、硬貨を確実に第１の領域に位置することができる。
請求項３の発明によれば、第２の領域に硬貨が載置されたときは、硬貨を第２の領域からスライド移動することにより第１の領域に滑り落とすことができるので、第２の領域から第１の領域に硬貨を容易に移動することができる。
【０００７】
請求項４の発明によれば、硬貨を第２の領域から第１の領域にスライド移動する際に、硬貨を案内補助手段で案内することができるので、硬貨を第２の領域から第１の領域にスライド移動する際に不用意に飛び出してしまうことを防止できる。
請求項５の発明によれば、本発明をカード処理端末に適用することができる。
【発明を実施するための最良の形態】
【０００８】
（第１実施例）
以下、本発明をＩＣカードリーダに適用した第１実施例について、図１ないし図５を参照しながら説明する。図４は、リーダライタの電気的構成を概略的に示している。この図４において、リーダライタ１は、店のカウンタに設置されるもので、コントローラ２と置台（アンテナ端末に相当）３とから構成されている。
【０００９】
図１は置台３を模式的に示す縦断面図、図２は置台３の斜視図、図３は置台３の平面図である。これらの図１乃至図３において、置台３は、矩形箱状をなす本体４に、通信用アンテナ（アンテナコイル）５とこれに接続された接続部６とを内蔵して構成されている。置台３の上面は壁部７で囲繞された陥没形状をなしており、その壁部７で囲繞された載置部８に、客が提出した現金、非接触ＩＣカードなどが載置されるようになっている。
【００１０】
ここで、置台３の載置部８は第１の領域８ａと当該第１の領域８ａよりも広い面積の第２の領域８ｂとに区分されており、それらの領域８ａ，８ｂの境界に仕切用の突条部９が形成されている。第１の領域８ａは硬貨を載置するために設けられ、第２の領域８ｂは紙幣および非接触ＩＣカードを載置するために設けられており、通信用アンテナ５は、第２の領域８ｂに対応した部位に内蔵されている。
【００１１】
図４に戻って、コントローラ２は、置台３の接続部６を通じて通信用アンテナ５と接続されている。コントローラ２は、通信制御など全体の制御を行う制御回路１０、送信回路１１及び受信回路１２から構成されている。通信用アンテナ５は、制御回路１０により制御され、非接触ＩＣカード（データキャリアに相当）１３に対する電力供給及び通信のための電磁界を発生させるようになっている。つまり、置台３の第２の領域８ｂは、通信用アンテナ５の通信エリアと略一致するように設定されている。また、第１の領域８ａは、当該領域に載置された硬貨が通信用アンテナ５による非接触ＩＣカード１３に対する読取りに影響を与えないように設定されている。
【００１２】
そして、制御回路１０は、上位装置１４からの指令に応じて非接触ＩＣカード１３に対する読取り或いは書込み動作を実行するようになっている。
尚、本実施例におけるリーダライタ１は、非接触ＩＣカード１３のデータを読取るだけでなく、データの書込みも可能に構成されている。
【００１３】
非接触ＩＣカード１３は、周知のように、プラスチック製の薄形のカード本体内に、アンテナコイル、共振用コンデンサ、制御用ＩＣ等を内蔵して構成され、制御用ＩＣは、整流部、通信制御部、変復調部、メモリ部等がワンチップ化されている。メモリ部には、必要なデータ（例えばポイント）等が書込みされるようになっている。
この非接触ＩＣカード１３は、置台３の通信用アンテナ５の通信エリアである第２の領域８ｂに載置されることによって、通信用アンテナ５から電力供給を受けると共に、リーダライタ１との間でデータ通信を行うようになっている。
【００１４】
次に、上記構成の作用について説明する。
リーダライタ１の制御回路１０は、送信回路１１に対して定期的にリクエストコマンドを出力するので、通信用アンテナ５からは置台３の第２の領域８ｂに対して定期的にリクエストコマンドを示す無線信号が送信される。
【００１５】
さて、客が物品の購入代金、或いは飲食代金を清算する場合は、カウンタに設置された置台３の載置部８に現金を載置する。このとき、客が自分の非接触ＩＣカード１３にポイントを加算したい場合は、非接触ＩＣカード１３を現金と共に置台３の載置部８に載置する。
【００１６】
ここで、置台３の第２の領域８ｂは第１の領域８ａに対して大きな面積が設定されているので、客が現金或いは非接触ＩＣカード１３を置台３に載置する場合は、それらの大部分は第２の領域８ｂに載置されることになる。
【００１７】
このようにして置台３の第２の領域８ｂに現金及び非接触ＩＣカード１３が載置されると、通信用アンテナ５からのリクエストコマンドを示す無線信号が非接触ＩＣカード１３に鎖交するものの、現金に硬貨が含まれている場合は、無線通信が硬貨の影響を受けることになる。つまり、非接触ＩＣカード１３が受信する無線信号の信号レベルが通常よりも小さくてなって動作電力を生成できなかったり、動作電力を生成できたとしてもリクエストコマンドを受信できなかったりする。従って、コントローラ２は、非接触ＩＣカード１３からの応答信号を受けることができないことから、非接触ＩＣカード１３は存在しないと判断する。
【００１８】
さて、店員は、置台３の載置部８に載置された現金に硬貨が含まれていた場合は、図５に示すように硬貨Ａを第１の領域８ａに移動し、第２の領域８ｂには紙幣Ｂ或いは非接触ＩＣカード１３のみを位置させる。この場合、置台３の第１の領域８ａと第２の領域８ｂとの境界には突条部９が形成されており、第１の領域８ａを第２の領域８ｂに対して容易に識別することができることから、第２の領域８ｂに位置する硬貨Ａのみを第１の領域８ａに容易に移動することができると共に、第１の領域８ａに位置した硬貨Ａが不用意に第２の領域８ｂに移動してしまうことを防止できる。
【００１９】
以上のようにして置台３の第１の領域８ａに硬貨Ａが位置し、第２の領域８ｂに紙幣Ｂ及び非接触ＩＣカード１３が位置すると、通信用アンテナ５から出力されているリクエストコマンドを示す無線信号が非接触ＩＣカード１３に鎖交するようになるので、非接触ＩＣカード１３は、通信用アンテナ５からの送信信号から動作電力を生成し、リクエストコマンドに応じた応答信号を返信するようになる。これにより、リーダライタ１は、非接触ＩＣカードが通信エリア内に位置したことを判断することができる。
【００２０】
店員が置台３に載置された現金を確認して料金を清算すると、上位装置１４のコンピュータは、リーダライタ１に対して料金に応じたポイントデータを送信する。
リーダライタ１の制御回路１０は、上位装置１４からポイントデータを入力すると、そのポイントデータを送信回路１１を通じて送信する。これにより、通信用アンテナ５から第２の領域８ｂに位置する非接触ＩＣカード１３に対してポイントデータを示す無線信号が送信されるので、非接触ＩＣカード１３は、受信したポイントデータを記憶しているポイントデータに加算してから、処理が終了したことを示す応答信号を返信する。
【００２１】
リーダライタ１は、非接触ＩＣカード１３からポイントの書込み処理が終了したことを示す応答信号を受信したときは、そのことを上位装置１４に通知する。従って、店員は、上位装置１４によりポイントの書込み処理が終了したことを確認したときは、非接触ＩＣカード１３を客に返却する。
【００２２】
このような実施例によれば、現金及び非接触ＩＣカード１３が載置される置台３の載置部８を、硬貨が位置される第１の領域８ａと紙幣及び非接触ＩＣカード１３が位置される第２の領域８ｂとに区分し、第１の領域８ａに載置される硬貨にかかわらず第２の領域８ｂに載置される非接触ＩＣカード１３と通信できるようにしたので、置台３に硬貨が載置されるにもかかわらず非接触ＩＣカード１３にポイントを確実に書き込むことができる。従って、現金と非接触ＩＣカード１３とを同時に処理することができるので、非接触ＩＣカード、紙幣、硬貨を別々に投入しなければならなかったり、ポイント処理などのため、現金による清算とは別に非接触ＩＣカード１３を専用の読取り端末にて操作しなければならなかったりする構成のものと違って、操作性が良好であると共に、機器の小型化を図ることができる。
【００２３】
（第２実施例）
次に、本発明の第２実施例について図６を参照して説明するに、第１実施例と同一部分には同一符号を付して説明を省略する。この第２実施例は、置台３において、硬貨が載置される第１の領域８ａを非接触ＩＣカード１３が載置される第２の領域８ｂよりも下方に設けたことを特徴とする。
【００２４】
第１の領域８ａは第２の領域８ｂよりも下方となるようにスライド部２１を介して連結されている。このスライド部２１の両側にはガイド部（案内補助手段に相当）２２が形成されている。このガイド部２２は、第２の領域８ｂから第１の領域８ａにスライド移動される硬貨を案内するために設けられている。
【００２５】
さて、店員は、客が置台３の第２の領域８ｂに硬貨を載置したときは、第２の領域８ｂから硬貨をスライド部２１に滑り落とす。すると、硬貨がスライド部２１を滑り落ちて第１の領域８ａに位置する。このとき、スライド部２１の両側にはガイド部２２が設けられているので、スライド部２１から硬貨が不用意に飛び出してしまうことなく第１の領域８ａに滑り落とすことができる。
【００２６】
このようにして第１の領域８ａに硬貨が位置すると、第１実施例と同様に、第２の領域８ｂに位置する非接触ＩＣカード１３が通信用アンテナ５からのリクエストコマンドに応じた応答信号を返信するようになるので、上位装置１４は、リーダライタ１により非接触ＩＣカード１３にポイントを書き込むことができる。
【００２７】
このような実施例によれば、第１の領域８ａを第２の領域８ｂの下方に設け、第２の領域８ｂに位置する硬貨を第１の領域８ａにスライド部２１を介して滑り落とすように構成したので、第１の領域８ａと第２の領域８ｂとを完全に分離することができ、通信用アンテナ５と非接触ＩＣカード１３との通信の安定性を高めることができる。
また、硬貨を第２の領域８ｂから第１の領域８ａにスライド部２１を介して滑り落とすようにしたので、硬貨をスライド移動する際の作業性を高めることができ、料金の清算処理の効率化を図ることができる。
【００２８】
本発明は、上記実施例に限定されることなく、次のように変形または拡張できる。
データキャリアとしては無線タグを内蔵した携帯電話機を用い、図７に示すように置台３にデータキャリアとしての携帯電話機３１を載置することによりポイントを書き込むようにしてもよい。
【００２９】
データキャリアに記憶する情報としてポイントに加えて個人情報を記憶し、ポイント加算時に客の個人情報を読み取るようにしてもよい。
データキャリアとしてＩＣ式のプリペイドカードに適用し、料金そのものを精算するようにしてもよい。
置台３にリーダライタの構成を内蔵することによりカード処理端末として構成するようにしてもよい。
【図面の簡単な説明】
【００３０】
【図１】本発明の第１実施例における置台を示す縦断面図
【図２】置台の斜視図
【図３】置台の平面図
【図４】リーダライタの電気的構成を概略的に示すブロック図
【図５】硬貨、現金、非接触ＩＣカードの載置状態で示す図３相当図
【図６】本発明の第２実施例を示す図１相当図
【図７】本発明の変形例を示す図５相当図
【符号の説明】
【００３１】
図面中、１はリーダライタ、３は置台（アンテナ端末）、５は通信用アンテナ、８は載置部、８ａは第１の領域、８ｂは第２の領域、１３は非接触ＩＣカード（データキャリア）、２２はガイド部（案内補助手段）、３１は携帯電話機（データキャリア）である。
【図１】
2006309554.tif 000003
【図２】
2006309554.tif 000004
【図３】
2006309554.tif 000005
【図４】
2006309554.tif 000006
【図５】
2006309554.tif 000007
【図６】
2006309554.tif 000008
【図７】
2006309554.tif 000009